(57)【特許請求の範囲】
【請求項１】
携帯装置におけるロック装置であって、前記携帯装置が主要体部（１０３、２０３、３０３、４０３、５０３、７０３）と可動突出部材（１０４、２０４、５２０）とを含み、前記突出部材（１０４、２０４、５２０）が前記主要体部（１０３、２０３、３０３、４０３、５０３、７０３）に対して少なくとも第１の位置と第２の位置との間で切換え可能であり、前記ロック装置がプランジャ・ユニット（１０５、２０５、３０５、４０５、５０５、６０５）とロック／リリース・ユニット（１００、２００、３００、４００、７００）とを含み、
前記ロック／リリース・ユニット（１００、２００、３００、４００、７００）が固定パーツ（１０１、２０１、３０１、４０１、７０１）と弾性パーツ（１０２、２０２、３０２、４０２、７０２）とを含み、
前記弾性パーツ（１０２、２０２、３０２、４０２、７０２）が前記固定パーツ（１０１、２０１、３０１、４０１、７０１）から離れる、少なくとも１つの弾力性の方向（Ｘ）を有し、
前記プランジャ・ユニット（１０５、２０５、３０５、４０５、５０５、６０５）が、前記ロック／リリース・ユニット（１００、２００、３００、４００、７００）の前記固定パーツ（１０１、２０１、３０１、４０１、７０１）と前記弾性パーツ（１０２、２０２、３０２、４０２、７０２）との間で、挿入後退方向（Ｙ）に沿って切換え可能であり、
前記ロック／リリース・ユニット（１００、２００、３００、４００、７００）が、前記弾力性の方向（Ｘ）に沿って前記弾性パーツ（１０２、２０２、３０２、４０２、７０２）の作動を可能にするための作動パーツ（２１２、３１２、７１２）も含み、その方向が前記挿入後退方向（Ｙ）にほぼ垂直であり、
作動アーム（３１４、７１４）が前記弾力性の方向（Ｘ）に沿って細長に形成され、前記弾力性の方向（Ｘ）に沿って前記作動アーム（３１４、７１４）上に力が加えられた場合にロック動作またはロック解除動作を容易に行うことができるよう前記弾性パーツ（１０２、２０２、３０２、４０２、７０２）に取り付けられることを特徴とする、ロック装置。
【請求項２】
前記プランジャ・ユニット（１０５、２０５、３０５、４０５、５０５、６０５）が前記突出部材（１０４、２０４、５２０）に取り付けられ、前記ロック／リリース・ユニット（１００、２００、３００、４００、７００）が前記固定パーツ（１０１、２０１、３０１、４０１、７０１）により前記装置の前記主要体部（１０３、２０３、３０３、４０３、５０３、７０３）に取り付けられることを特徴とする、請求項１に記載のロック装置。
【請求項３】
前記プランジャ・ユニット（１０５、２０５、３０５、４０５、５０５、６０５）が前記装置の前記主要体部（１０３、２０３、３０３、４０３、５０３、７０３）に取り付けられ、前記ロック／リリース・ユニット（１００、２００、３００、４００、７００）が前記固定パーツ（１０１、２０１、３０１、４０１、７０１）により前記突出部材（１０４、２０４、５２０）に取り付けられることを特徴とする、請求項１に記載のロック装置。
【請求項４】
前記作動パーツ（２１２、３１２、７１２）が前記ロック／リリース・ユニット（１００、２００、３００、４００、７００）の前記弾性パーツ（１０２、２０２、３０２、４０２、７０２）の延長部を形成することを特徴とする、請求項１に記載のロック装置。
【請求項５】
前記ロック／リリース・ユニット（１００、２００、３００、４００、７００）が単一ユニットの形になっていることを特徴とする、請求項１から請求項４までのいずれか一項に記載のロック装置。
【請求項６】
前記ロック／リリース・ユニット（１００、２００、３００、４００、７００）がまとめて結合された少なくとも２つの個別のパーツの形になっていることを特徴とする、請求項１から請求項４までのいずれか一項に記載のロック装置。
【請求項７】
前記ロック／リリース・ユニット（１００、２００、３００、４００、７００）の前記弾性パーツ（１０２、２０２、３０２、４０２、７０２）と前記固定パーツ（１０１、２０１、３０１、４０１、７０１）がどちらも概して細長い形状になっており、それぞれの端部の一方でまとめて結合されていることを特徴とする、請求項１から請求項６までのいずれか一項に記載のロック装置。
【請求項８】
前記プランジャ・ユニット（１０５、２０５、３０５、４０５、５０５、６０５）が前記挿入後退方向（Ｙ）に沿って噛み合い位置に挿入されたときに前記ロック／リリース・ユニット（１００、２００、３００、４００、７００）の前記弾性パーツ（１０２、２０２、３０２、４０２、７０２）を前記固定パーツ（１０１、２０１、３０１、４０１、７０１）から容易に分離できるようにするために前記プランジャ・ユニット（１０５、２０５、３０５、４０５、５０５、６０５）が先細端部（１０７、２０７、６０７、７０７）を有することを特徴とする、請求項１から請求項７までのいずれか一項に記載のロック装置。
【請求項９】
前記プランジャ・ユニット（１０５、２０５、３０５、４０５、５０５、６０５）を噛み合い位置にロックするために前記プランジャ・ユニット（１０５、２０５、３０５、４０５、５０５、６０５）がノッチ（１０６、２０６、３０６、４０６、６０６）を有することを特徴とする、請求項１から請求項８までのいずれか一項に記載のロック装置。
【請求項１０】
前記ノッチ（１０６、２０６、３０６、４０６、６０６）が傾斜エッジ（１０８、２０８、６０８）を含み、その傾斜方向が前記挿入後退方向（Ｙ）に関するものであることを特徴とする、請求項９に記載のロック装置。
【請求項１１】
前記プランジャ・ノッチ（１０６、２０６、３０６、４０６、６０６）を噛み合い位置に噛み合わせるために前記ロック／リリース・ユニット（１００、２００、３００、４００、７００）がノッチ（２１０、３１０、７１０）を有することを特徴とする、請求項９から請求項１０までのいずれか一項に記載のロック装置。
【請求項１２】
前記ロック／リリース・ユニット（１００、２００、３００、４００、７００）の前記ノッチ（２１０、３１０、７１０）が傾斜エッジ（２１１、７０８）を含み、その傾斜方向が前記挿入後退方向（Ｙ）に関するものであることを特徴とする、請求項１１に記載のロック装置。
【請求項１３】
前記ロック／リリース・ユニット（１００、２００、３００、４００、７００）の前記ノッチ（２１０、３１０、７１０）が前記弾性パーツ（１０２、２０２、３０２、４０２、７０２）内にあることを特徴とする、請求項１１から請求項１２までのいずれか一項に記載のロック配置。
【請求項１４】
主要体部（１０３、２０３、３０３、４０３、５０３、７０３）と、ヒンジ・ユニット（５２１）によって前記主要体部（１０３、２０３、３０３、４０３、５０３、７０３）に取り付けられた突出部材（１０４、２０４、５２０）とを含む携帯通信装置であって、前記突出部材（１０４、２０４、５２０）が前記主要体部（１０３、２０３、３０３、４０３、５０３、７０３）に対して少なくとも第１の位置と第２の位置との間で切換え可能であり、前記装置がプランジャ・ユニット（１０５、２０５、３０５、４０５、５０５、６０５）とロック／リリース・ユニット（１００、２００、３００、４００、７００）とを含むロック装置も含み、
前記ロック／リリース・ユニット（１００、２００、３００、４００、７００）が固定パーツ（１０１、２０１、３０１、４０１、７０１）と弾性パーツ（１０２、２０２、３０２、４０２、７０２）とを含み、
前記弾性パーツ（１０２、２０２、３０２、４０２、７０２）が前記固定パーツ（１０１、２０１、３０１、４０１、７０１）からの少なくとも１つの弾力性の方向（Ｘ）を有し、
前記プランジャ・ユニット（１０５、２０５、３０５、４０５、５０５、６０５）が、前記ロック／リリース・ユニット（１００、２００、３００、４００、７００）の前記固定パーツ（１０１、２０１、３０１、４０１、７０１）と前記弾性パーツ（１０２、２０２、３０２、４０２、７０２）との間の切り離し位置と噛み合い位置との間で、挿入後退方向（Ｙ）に沿って切換え可能であり、
前記ロック／リリース・ユニット（１００、２００、３００、４００、７００）が、前記弾力性の方向（Ｘ）に沿って前記弾性パーツ（１０２、２０２、３０２、４０２、７０２）の作動を可能にするための作動パーツ（２１２、３１２、７１２）も含み、その方向が前記挿入後退方向（Ｙ）にほぼ垂直であり、
作動アーム（３１４、７１４）が前記弾力性の方向（Ｘ）に沿って細長に形成され、前記弾力性の方向（Ｘ）に沿って前記作動アーム（３１４、７１４）上に力が加えられた場合にロック動作またはロック解除動作を容易に行うことができるよう前記弾性パーツ（１０２、２０２、３０２、４０２、７０２）に取り付けられることを特徴とする、携帯通信装置。
【請求項１５】
前記プランジャ・ユニット（１０５、２０５、３０５、４０５、５０５、６０５）が前記突出部材（１０４、２０４、５２０）に取り付けられ、前記ロック／リリース・ユニット（１００、２００、３００、４００、７００）が前記固定パーツ（１０１、２０１、３０１、４０１、７０１）により前記装置の前記主要体部（１０３、２０３、３０３、４０３、５０３、７０３）に取り付けられることを特徴とする、請求項１４に記載の携帯通信装置。
【請求項１６】
前記プランジャ・ユニット（１０５、２０５、３０５、４０５、５０５、６０５）が前記装置の前記主要体部（１０３、２０３、３０３、４０３、５０３、７０３）に取り付けられ、前記ロック／リリース・ユニット（１００、２００、３００、４００、７００）が前記固定パーツ（１０１、２０１、３０１、４０１、７０１）により前記突出部材（１０４、２０４、５２０）に取り付けられることを特徴とする、請求項１４に記載の携帯通信装置。
【請求項１７】
前記作動パーツ（２１２、３１２、７１２）が前記ロック／リリース・ユニット（１００、２００、３００、４００、７００）の前記弾性パーツ（１０２、２０２、３０２、４０２、７０２）の延長部を形成することを特徴とする、請求項１４に記載の携帯通信装置。
【請求項１８】
前記ロック／リリース・ユニット（１００、２００、３００、４００、７００）が単一ユニットの形になっていることを特徴とする、請求項１４から請求項１７までのいずれか一項に記載の携帯通信装置。
【請求項１９】
前記ロック／リリース・ユニット（１００、２００、３００、４００、７００）がまとめて結合された少なくとも２つの個別のパーツの形になっていることを特徴とする、請求項１４から請求項１７までのいずれか一項に記載の携帯通信装置。
【請求項２０】
前記ロック／リリース・ユニット（１００、２００、３００、４００、７００）の前記弾性パーツ（１０２、２０２、３０２、４０２、７０２）と前記固定パーツ（１０１、２０１、３０１、４０１、７０１）がどちらも概して細長い形状になっており、それぞれの端部の一方でまとめて結合されていることを特徴とする、請求項１４から請求項１９までのいずれか一項に記載の携帯通信装置。
【請求項２１】
前記プランジャ・ユニット（１０５、２０５、３０５、４０５、５０５、６０５）が前記挿入後退方向（Ｙ）に沿って前記噛み合い位置に挿入されたときに前記ロック／リリース・ユニット（１００、２００、３００、４００、７００）の前記弾性パーツ（１０２、２０２、３０２、４０２、７０２）を前記固定パーツ（１０１、２０１、３０１、４０１、７０１）から容易に分離できるようにするために前記プランジャ・ユニット（１０５、２０５、３０５、４０５、５０５、６０５）が先細端部（１０７、２０７、６０７、７０７）を有することを特徴とする、請求項１４から請求項２０までのいずれか一項に記載の携帯通信装置。
【請求項２２】
前記プランジャ・ユニット（１０５、２０５、３０５、４０５、５０５、６０５）を前記噛み合い位置にロックするために前記プランジャ・ユニット（１０５、２０５、３０５、４０５、５０５、６０５）がノッチ（１０６、２０６、３０６、４０６、６０６）を有することを特徴とする、請求項１４から請求項２１までのいずれか一項に記載の携帯通信装置。
【請求項２３】
前記ノッチ（１０６、２０６、３０６、４０６、６０６）が傾斜エッジ（１０８、２０８、６０８）を含み、その傾斜方向が前記挿入後退方向（Ｙ）に関するものであることを特徴とする、請求項２２に記載の携帯通信装置。
【請求項２４】
前記プランジャ・ノッチ（１０６、２０６、３０６、４０６、６０６）を前記噛み合い位置に噛み合わせるために前記ロック／リリース・ユニット（１００、２００、３００、４００、７００）がノッチ（２１０、３１０、７１０）を有することを特徴とする、請求項２２から請求項２３までのいずれか一項に記載の携帯通信装置。
【請求項２５】
前記ロック／リリース・ユニット（１００、２００、３００、４００、７００）の前記ノッチ（２１０、３１０、７１０）が傾斜エッジ（２１１、７０８）を含み、その傾斜方向が前記挿入後退方向（Ｙ）に関するものであることを特徴とする、請求項２４に記載の携帯通信装置。
【請求項２６】
前記ロック／リリース・ユニット（１００、２００、３００、４００、７００）の前記ノッチ（２１０、３１０、７１０）が前記弾性パーツ（１０２、２０２、３０２、４０２、７０２）内にあることを特徴とする、請求項２４から請求項２５までのいずれか一項に記載の携帯通信装置。
【請求項２７】
前記ロック／リリース・ユニット（１００、２００、３００、４００、７００）が、前記ハウジング（１０３、２０３、３０３、４０３、５０３、７０３）の内部表面に取り付けられ、前記切り離し位置から前記噛み合い位置に切り換えるときに前記プランジャ（１０５、２０５、３０５、４０５、５０５、６０５）が入れるようにする前記ハウジング（１０３、２０３、３０３、４０３、５０３、７０３）内の穴（２１３、３１３、５１３、７１３）を介して配置されることを特徴とする、請求項１４から請求項２６までのいずれか一項に記載の携帯通信装置。
【発明の詳細な説明】
【０００１】
（発明の技術分野）
本発明は、２つの装置間の機械的連動を可能にするための機械的なロック装置に関し、特に、プランジャ・ユニットとロック／リリース・ユニットとを含むロック装置即ち錠止装置に関する。
【０００２】
（関連技術の説明）
携帯移動電話端末の分野において重量とサイズ即ち寸法などの特徴に関する技術的進化は、外観上の考察を行わなければならないところまで達している。旧世代の移動端末のサイズに関する制限は、端末の構成要素のサイズ、特にバッテリ・パックのサイズによって要求されたものである。これに対して、現代の端末は、手のひらサイズのユニット内部に容易におさまる、少数の高度に集積された低電力回路を含む。事実、最近開発された端末の中でより小さい端末の寸法は、スピーカとマイクとの距離が重要な設計要素になるようなものになっている。端末をさらに小型化するために、スピーカ／マイクとユーザの耳／口との適切な位置合せを可能にしながら、マイクまたはスピーカを含む、折り畳み式のふたおよびアームなどの機械的解決策が一般化している。
【０００３】
折り畳み式でフリップリッド（ｆｌｉｐ−ｌｉｄ）を装備した携帯端末、実際にはたとえばヒンジ・ユニットによって取付けられ、その装置のメイン・ハウジング即ち主要ハウジングに対して様々な位置間で折り畳むことが可能な突出部材を含む任意の携帯装置に関する問題は、いかにして突出部材の単動ロック即ち単一の作動での錠止および単動リリース即ち単一の作動での解放を可能にするかである。
【０００４】
この点で現況技術の一例は、米国特許第５３２７５８４号に開示されており、同特許にはカバー・リリース・メカニズムを備えた携帯ラジオが示されている。いくつかの個別のパーツ、すなわち、穴との噛み合い部分、動作部分が作用するロック・プレート、ストッパ上に取り付けられたワイヤ・スプリングが相俟ってカバー・リリース・メカニズムを形成する。言うまでもなく、これが多数のサブパーツを含むという単なる事実により、このメカニズムは、組立ておよび製造の両面で比較的複雑なものである。
【０００５】
ロック装置のもう１つの例は、英国特許出願ＧＢ２１０６９７７号に見られるはずである。レセプタクル即ち容器とカバー部材とを含むバニティ・ケース即ち携帯用の入れ物は、レセプタクルとカバー部材とのスナップ噛み合いを可能にするための装置を有する。このスナップ噛み合いと切り離しは、一方はカバー部材に含まれ、もう一方はレセプタクルの一部である、２つの弾性ラッチつまみ間に力を加えることによって実施される。この力は個別のスライダ要素を介して加えられる。
【０００６】
（発明の概要）
このため、本発明によって対処される問題は、携帯通信装置において、たとえばフリップリッドなどの突出部材の片手単動ロックおよび片手単動リリースを可能にすることである。
【０００７】
本発明によって対処される他の問題は、最小数の構成要素を使用しながら、突出部材の単動ロックおよび単動リリースを可能にすることである。
【０００８】
本発明の目的は、上記の問題を克服することにある。これは、要するに、プランジャ・ユニットが、弾性パーツ即ち弾性部材と固定パーツ即ち固定部材を含むロック／リリース・ユニットと噛み合い、それから切り離すことが可能なロック装置を設けることによって達成される。
【０００９】
より詳細に、携帯装置におけるロック装置を示す。この装置は、主要体部即ちメイン・ボディと可動突出部材とを含む。この突出部材は、メイン・ボディに対して少なくとも第１の位置と第２の位置との間で切換え可能である。このロック装置は、プランジャ・ユニットと、弾性パーツおよび固定パーツを備えたロック／リリース・ユニットとを含む。弾性パーツは、固定パーツから少なくとも１つの弾力性の方向に沿ってはね返るものである。プランジャ・ユニットは、ロック／リリース・ユニットの固定パーツと弾性パーツとの間の切り離し位置と噛み合い位置との間で、挿入後退方向に沿って切換え可能である。
【００１０】
本発明の１つの利点は、プランジャ・ユニットとロック／リリース・ユニットとの噛み合いおよび切り離しを行い、その結果、装置のメイン・ボディから突出部材をリリースする即ち解放するために本発明のユーザが必要とするのは小さい運動、たとえば手の動きのみであることである。
【００１１】
本発明の他の利点は、ロック／リリース・ユニットが１つの単一ユニットとして生産可能であるという事実により、装置の製造および組立てに関する複雑さが低くなり、そのため、コストも低くなることである。
【００１２】
（好ましい実施形態の詳細な説明）
部材１０４をメイン・ボディ１０３にロックする即ち錠止する一般的機能を示す、本発明によるロック配置の第１の好ましい実施形態を図１ａ、図１ｂ、図１ｃに示す。この配置は、ロック／リリース・ユニット１００とプランジャ１０５とを含む。
【００１３】
第１の側面図を図１ａに示すが、同図ではロック／リリース・ユニット１００がメイン・ボディ１０３に取り付けられている。メイン・ボディ１０３の特定の特性は本発明の範囲外であるが、以下に詳述するように、典型的なメイン・ボディ１０３は電話などの携帯装置にすることができる。さらに、メイン・ボディ１０３へのロック／リリース装置１００の取付けも本発明の範囲外であり、そのため、この取付けについては図１ａから図１ｃに関連してこれ以上詳細に説明することはない。
【００１４】
ロック／リリース装置１００は、メイン・ボディ１０３に取り付けられた細長い固定パーツ即ち固定部材１０１と、細長い弾性パーツ即ち弾性部材１０２とを含む。弾性パーツ１０２は、固定パーツ１０１から方向Ｘに沿ってはね返り、固定パーツ１０１と弾性パーツ１０２との間に可変範囲を有するギャップ即ちすき間１２０を形成する。
【００１５】
区切り線１０９は、ロック／リリース・ユニット１００の弾性パーツ１０２と固定パーツ１０１が互いに移行する箇所を概略で示すために図中に示されているものである。また、区切り線１０９は、２つのパーツ１０１、１０２が互いに付着している箇所を示すものではなく、したがって、２つの個別のパーツの必要性を暗示するものではない。むしろ、区切り線１０９は、ロック／リリース・ユニット１００が１つの単一ユニットの形にすることができると同時に、まとめて結合された２つの個別のパーツで形成できることを示しているだけである。
【００１６】
弾性パーツ１０２の実際のはね返り即ち弾力性は、そのパーツの材料の物理的性質などの特性に応じて得られる。適当なはね返り特性即ち弾力特性を得る方法は当技術分野では既知であり、そのため、詳細に説明しない。しかし、たとえば射出成形プロセスによって製造されたプラスチック材料が妥当な選択であることは明らかである。にもかかわらず、金属または木材などの他の材料でも、応用例によっては適当である場合がある。
【００１７】
図１ｂおよび図１ｃを参照すると、ノッチ１０６と先細端部１０７とを有する細長いプランジャ・ユニット１０５が部材１０４に取り付けられている。部材１０４は、プランジャ・ユニット１０５とロック／リリース・ユニット１００とを含むロック装置によりメイン・ボディ１０３にロック即ち錠止すべきものである。具体的な特性を有する部材１０４の例については、本発明の他の実施形態に関連して後述する。
【００１８】
プランジャ・ユニット１０５は、図１ａから図１ｃでは、弾性パーツ１０２と固定パーツ１０１との間のギャップ１２０内に位置し、部材１０４をメイン・ボディ１０３にロックする。このロックは、方向Ｙに沿ってその先細端部１０７とともにプランジャ１０５を移動し、方向Ｘに沿って弾性パーツ１０２を強制的に移動し、方向Ｘに沿って弾性パーツ１０２を強制的に移動し、方向Ｘに対抗して後退する弾性パーツ１０２をノッチ１０６が捕らえるまでギャップ１２０を拡大することによって実施される。ノッチ１０６は、後退時に弾性パーツ１０２がそれに沿ってスライドする傾斜エッジ１０８を含む。方向Ｘは方向Ｙにほぼ垂直である。これは、以下に示す本発明の他の実施形態についても同様である。
【００１９】
取り付けられたプランジャ１０５とともに部材１０４を方向Ｙに沿って強制的に後退させることにより、部材１０４はメイン・ボディ１０３からロック解除することができる。このような後退運動は、弾性パーツ１０２がノッチ１０６の傾斜エッジ１０８に対抗してスライドし、そのため、方向Ｘに向かって弾性パーツ１０２の運動を引き起こし、方向Ｘに向かってギャップ１２０を拡大し、ギャップ１２０を拡大することを必然的に伴うことになる。部材１０４とプランジャ１０５がさらに後退運動すると、その結果、ロック／リリース・ユニット１００からプランジャがロック解除される。
【００２０】
本発明による第２の実施形態を図２ａから図２ｃに開示する。上記の例のように、固定パーツ２０１と弾性パーツ２０２とを含むロック／リリース・ユニット２００がたとえば携帯装置のメイン・ボディ２０３に取り付けられている。典型的な実施例では、メイン・ボディ２０３は移動電話端末にすることができる。このような場合、メイン・ボディ２０３は、このような電話端末のハウジングに対応するものである。
【００２１】
固定パーツ２０１と弾性パーツ２０２はどちらも細長く、両者によって単一ユニットが形成される。破線２０９は、２つのパーツ２０１、２０２間の移行部分が位置する箇所を概略で示している。弾性パーツ２０２は、固定パーツ２０１から方向Ｘに沿ってはね返り即ち弾力性があり、可変範囲を有するギャップ２２０を形成する。作動パーツ２１２は、弾性パーツ２０２に取り付けられているか、または弾性パーツ２０２の統合パーツを形成する。作動パーツ２１２は、メイン・ボディ２０３内の穴２１３を通って延在し、外部からそれにアクセスできるようにする。
【００２２】
また、上記の例のように、ノッチ２０６と先細端部２０７とを有する細長いプランジャ・ユニット２０５が部材２０４に取り付けられている。部材２０４は、プランジャ・ユニット２０５とロック／リリース・ユニット２００とを含むロック装置によりメイン・ボディ２０３にロックすべきものである。部材２０４の典型的な例は、移動電話端末のフリップリッドにすることができる。
【００２３】
プランジャ・ユニット２０５は、弾性パーツ２０２と固定パーツ２０１との間のギャップ２２０内に位置し、部材２０４をメイン・ボディ２０３にロックする。
【００２４】
図１ａから図１ｃに関連して示す上記の例のように、ロックおよびロック解除は、方向Ｙに沿ってプランジャ２０５を移動し、方向Ｘに沿って弾性パーツ２０２を強制的に移動し、弾性パーツ２０１内のノッチ２１０の傾斜エッジ２１１をノッチ２０６が捕らえるまでギャップ２２０を拡大することによって実施される。プランジャのノッチ２０６も、後退時に弾性パーツ２０２がそれに沿ってスライドする傾斜エッジ２０８を含む。
【００２５】
取り付けられたプランジャ２０５とともに部材２０４は、方向Ｙに沿って後方に加えられる引張力によってメイン・ボディからロック解除される。このような力による後退運動は、弾性パーツ２０２内のノッチ２１０の傾斜エッジ２１１がノッチ２０６の傾斜エッジ２０８に対抗してスライドし、そのため、方向Ｘに向かって弾性パーツ２０２の運動を引き起こし、ギャップ２２０を拡大することを必然的に伴うことになる。部材２０４とプランジャ２０５がさらに後退運動すると、その結果、ロック／リリース・ユニット２００からプランジャ２０５がロック解除される。ロック位置からプランジャ２０５を解除するために必要な引張力は、当然のことながら、関連するパーツの寸法および物理的特性によって決まる。また、方向Ｘに沿って弾性パーツ２０２に力を加えることによってロック解除動作を容易にすることもできる。このような力は、作動パーツ２１２を介して加えることができる。事実、ロック動作とロック解除動作はどちらも、方向Ｘに沿って作動パーツ２１２に力を加えることにより容易にすることができる。
【００２６】
ロック装置３００の他の実施形態の概略を図３に開示する。上記の例のように、固定パーツ３０１は電話端末のハウジングなどのメイン・ボディ３０３に取り付けられている。固定パーツ３０１は、破線３０９が示す位置で弾性パーツ３０２に移行する。弾性パーツ３０２は、方向Ｘに沿って弾力性を有し、作動パーツ３１２を介して方向Ｘに沿って前方および後方に転位可能である。作動パーツ３１２は、方向Ｘに沿って細長で、弾性パーツ３０２に取り付けられた作動アーム３１４の端部の一部を形成する。作動アーム３１４は、多かれ少なかれ上記の例と同様にメイン・ボディ３０３内の穴３１３を通って延在する。
【００２７】
図３は、上記の例で示したように、ロック位置と噛み合い、ロック位置から切り離し可能なノッチ３０６を有するプランジャ３０５も示している。
【００２８】
ロック装置４００のさらに他の例の概略を図４に開示する。固定パーツ４０１はメイン・ボディ４０３に取り付けられている。固定パーツ４０１は、方向Ｘに沿ってはね返る弾性パーツ４０２に移行する。固定パーツ４０１と弾性パーツ４０２との間のギャップ４２０には、ノッチ４０６を備えたプランジャ４０５が位置する。この例は、たとえば同図に示すプランジャ４０５の矩形断面のように、異なる形状のこれらのパーツを例示するためのものにすぎない。
【００２９】
図５、図６ａから図６ｃ、図７ａから図７ｂは、本発明の好ましい実施形態のさらに他の図解を示している。移動電話端末５００は、フリップリッド５２０が取り付けられたハウジング５０３の形のメイン・ボディを含む。当技術分野で既知の通り、この端末は通信ネットワーク内で通信するための手段を含む。ハウジング５０３内にはディスプレイ５２４、キー５２５、スピーカ５２３が位置し、フリップリッド５２０内にはマイクが位置する。
【００３０】
フリップリッド５２０は、ヒンジ・メカニズム５２１によって軸線Ｒの回りを開放位置から閉鎖位置まで回転し、キー５２５を覆うことができる。図５には示されていないが、ヒンジ・メカニズム５２１は、閉鎖位置にあるときにハウジング５０３に対応してフリップリッド５２０をばね上げするための手段を含むことができる。フリップリッド５２０は、図５には開放位置で示されている。
【００３１】
フリップリッドが閉鎖位置および開放位置とそれぞれ噛み合い、そこから切り離すことができるようにするために、端末５００は本発明によるロック装置を含む。プランジャ・ユニット５０５はフリップリッド５２０に取り付けられ、ロック／リリース・ユニット（図７ａの７００）はハウジング５０３内部に取り付けられている。ハウジング５０３内の穴５１３により、プランジャ５０５はロック／リリース・ユニット（図７ａの７００）にアクセス可能になる。
【００３２】
図６ａから図６ｃは、フリップリッド５２０に取り付けられた状態で図５に示されているプランジャ５０５などのプランジャ６０５の３通りの側面図を示している。このプランジャは、前の例に示したプランジャ１０５、２０５とほぼ同じ形状の先細端部６０７と、傾斜エッジ６０８を備えたノッチ６０６とを含む。プランジャ６０５はフリップリッドなどから分離された個別のパーツとして示されているが、プランジャ６０５はフリップリッド（図５の５２０）の一体部分にすることができることに留意されたい。
【００３３】
図７ａおよび図７ｂは、図５のハウジング５０３に対応するハウジング７０３の内部に取り付けられたロック／リリース・ユニット７００をある程度詳細に示しており、これは、固定パーツ７０１と、弾性パーツ７０２と、作動パーツ７１２を備えた作動アーム７１４を有する。上記の例と同様に、弾性パーツ７０２は固定パーツ７０１から離れるはね返り方向即ち弾力性の方向Ｘを有し、それにより、作動パーツ７１２上で方向Ｘに沿って力を加えたときに２つのパーツ間のギャップ７２０を拡大することができる。固定パーツ７０１は、ハウジング７０３から突出し、開口部７１６を介して固定パーツ７０１と噛み合うノブ７１７によりハウジング７０３の内部に取り付けられている。
【００３４】
先細端部７０７を有するプランジャ（図５の５０５、図６ａから図６ｃの６０５）の先端７０７は、上記の例で開示したのと同じように、弾性パーツ７０２内のノッチ７０８と噛み合う。穴７１３を通ってハウジング７０３から突出する作動パーツ７１２上で方向Ｘに沿って力を加えることにより、ギャップ７２０が拡大し、プランジャが噛み合い位置から分離される。
【００３５】
上記の例は、プランジャが突出部材に取り付けられ、ロック／リリース・ユニットが装置のメイン・ボディに取り付けられる本発明の実施例を示している。しかし、言うまでもなく、プランジャがメイン・ボディに取り付けられ、ロック／リリース・ユニットが突出部材に取り付けられる他の実施形態も実現可能である。
【図面の簡単な説明】
【図１ａ】  ロック装置の第１の実施形態の概略側面図である。
【図１ｂ】  ロック装置の第１の実施形態の断面図である。
【図１ｃ】  ロック装置の第１の実施形態の断面図である。
【図２ａ】  ロック装置の第２の実施形態の概略側面図である。
【図２ｂ】  ロック装置の第２の実施形態の断面図である。
【図２ｃ】  ロック装置の第２の実施形態の断面図である。
【図３】  ロック装置の第３の実施形態の概略側面図である。
【図４】  ロック装置の第４の実施形態の概略側面図である。
【図５】  フリップリッドを備えた携帯電話の概略斜視図である。
【図６ａ】  プランジャ・ユニットの概略側面図である。
【図６ｂ】  プランジャ・ユニットの概略側面図である。
【図６ｃ】  プランジャ・ユニットの概略側面図である。
【図７ａ】  装置のハウジングに取り付けられたロック／リリース・ユニットの概略斜視図である。
【図７ｂ】  装置のハウジングに取り付けられたロック／リリース・ユニットの概略斜視図である。
【図１ａ】
0004391688.tif 000002
【図１ｂ】
0004391688.tif 000003
【図１ｃ】
0004391688.tif 000004
【図２ａ】
0004391688.tif 000005
【図２ｂ】
0004391688.tif 000006
【図２ｃ】
0004391688.tif 000007
【図３】
0004391688.tif 000008
【図４】
0004391688.tif 000009
【図５】
0004391688.tif 000010
【図６ａ】
0004391688.tif 000011
【図６ｂ】
0004391688.tif 000012
【図６ｃ】
0004391688.tif 000013
【図７ａ】
0004391688.tif 000014
【図７ｂ】
0004391688.tif 000015